(57)【要約】【課題】最も内側の層をポリエステル系樹脂層としても落下等の衝撃によるピンチオフ部の融着部分の割れを抑制することが可能な積層容器を提供する。【解決手段】押出ブロー成形により、複数の層を有するとともに口部２、胴部３及び底部４を備えたボトル形状に形成された合成樹脂製の積層容器１であって、底部４が、接地部４ａと、接地部４ａの内側に設けられ、接地部４ａに対して容器内側に凹んだ底壁部４ｂと、底壁部４ｂの下側を向く底面４ｂ１から突出する突条形状を有し、長手方向両端がそれぞれ接地部４ａに連なるピンチオフ部４ｃと、を有し、底面４ｂ１が平坦面であるとともに、最も内側の層がポリエステル系樹脂層であることを特徴とする積層容器１。【選択図】図３
2019081549.tif 000002
【特許請求の範囲】
【請求項１】
押出ブロー成形により、複数の層を有するとともに口部、胴部及び底部を備えたボトル形状に形成された合成樹脂製の積層容器であって、
前記底部が、
接地部と、
前記接地部の内側に設けられ、該接地部に対して容器内側に凹んだ底壁部と、
前記底壁部の下側を向く底面から突出する突条形状を有し、長手方向両端がそれぞれ前記接地部に連なるピンチオフ部と、を有し、
前記底面が平坦面であるとともに、
最も内側の前記層がポリエステル系樹脂層であることを特徴とする積層容器。
【請求項２】
前記ポリエステル系樹脂層の外側に接着層を介してポリプロピレン樹脂層が設けられている、請求項１に記載の積層容器。
【請求項３】
複数の前記層が遮光層を含んでいる、請求項１または２に記載の積層容器。
【請求項４】
前記ピンチオフ部が、前記底面に連なる連接部分と、前記連接部分よりも幅広に形成されて該連接部分の下端に連なる幅広部とを有する、請求項１〜３の何れか１項に記載の積層容器。
【発明の詳細な説明】
【技術分野】
【０００１】
本発明は、押出ブロー成形により、複数の層を有するとともに口部、胴部及び底部を備えたボトル形状に形成された合成樹脂製の積層容器に関する。
【背景技術】
【０００２】
従来から、例えば清酒等のアルコール飲料や清涼飲料水等を内容物として収容する容器として、積層パリソンを押出ブロー成形することにより、複数の層が積層された積層構造を有するとともに、口部、胴部及び底部を備えたボトル形状に形成された合成樹脂製の積層容器が多く用いられている（例えば特許文献１参照）。
【先行技術文献】
【特許文献】
【０００３】
【特許文献１】特開２０１１−２１３３７０号公報
【発明の概要】
【発明が解決しようとする課題】
【０００４】
押出ブロー成形により形成される容器では、積層パリソンが割り金型によって食い切られることで底部にピンチオフ部が形成されるが、このピンチオフ部の融着強度を確保することが必須である。
【０００５】
一方、上記のような積層容器を清酒等のアルコール飲料を収容する用途に用いる場合には、容器の最も内側の層を、オレフィン系の樹脂材料よりも吸着し難いポリエステル系樹脂により形成された層とすることが考えられる。
【０００６】
しかし、最も内側の層をポリエステル系樹脂層とした積層容器では、ピンチオフ部の融着がポリエステル系樹脂同士となり、融着がし難いものであるために、ピンチオフ部の融着強度を確保するのが困難であり、落下等による衝撃がピンチオフ部に加わると、ピンチオフ部の融着部分に割れが生じてしまうおそれがあるという問題点があった。
【０００７】
本発明は、このような問題点を解決することを課題とするものであり、その目的は、最も内側の層をポリエステル系樹脂層としても落下等の衝撃によるピンチオフ部の融着部分の割れを抑制することが可能な積層容器を提供することにある。
【課題を解決するための手段】
【０００８】
本発明の積層容器は、押出ブロー成形により、複数の層を有するとともに口部、胴部及び底部を備えたボトル形状に形成された合成樹脂製の積層容器であって、前記底部が、接地部と、前記接地部の内側に設けられ、該接地部に対して容器内側に凹んだ底壁部と、前記底壁部の下側を向く底面から突出する突条形状を有し、長手方向両端がそれぞれ前記接地部に連なるピンチオフ部と、を有し、前記底面が平坦面であるとともに、最も内側の前記層がポリエステル系樹脂層であることを特徴とする。
【０００９】
本発明の積層容器は、上記構成において、前記ポリエステル系樹脂層の外側に接着層を介してポリプロピレン樹脂層が設けられているのが好ましい。
【００１０】
本発明の積層容器は、上記構成において、複数の前記層が遮光層を含んでいるのが好ましい。
【００１１】
本発明の積層容器は、上記構成において、前記ピンチオフ部が、前記底面に連なる連接部分と、前記連接部分よりも幅広に形成されて該連接部分の下端に連なる幅広部とを有するのが好ましい。
【発明の効果】
【００１２】
本発明によれば、最も内側の層をポリエステル系樹脂層としても落下等の衝撃によるピンチオフ部の融着部分の割れを抑制することが可能な積層容器を提供することができる。
【図面の簡単な説明】
【００１３】
【図１】本発明の一実施の形態に係る積層容器を一部切り欠いて示す正面図である。
【図２】図１に示す積層容器の底面図である。
【図３】図１に示す積層容器の底部を拡大して示す断面図である。
【図４】図３におけるＡ−Ａ線に沿う断面図である。
【発明を実施するための形態】
【００１４】
以下、図１〜図４を参照しつつ、本発明の一実施の形態に係る積層容器１について詳細に例示説明する。
【００１５】
本明細書及び特許請求の範囲においては、上下方向は、図１に示すように積層容器１を正立姿勢とした状態における上方、下方を意味するものとする。
【００１６】
積層容器１は、押出ブロー成形により、複数の層を有する積層構造の合成樹脂製容器に形成されている。すなわち、積層容器１は、それぞれ合成樹脂材料からなる複数の層を共押出しすることで円筒状に形成された積層パリソンを左右分割式の割り金型を用いてブロー成形する押出ブロー成形（ＥＢＭ：Extrusion Blow Molding）により、複数の層を有する合成樹脂製の容器に形成されている。
【００１７】
積層容器１は、上記の通り複数の層を有するが、最も内側の層はポリエステル系樹脂層となっている。また、複数の層の間に、これらの層を互いに接着するための接着層を設けてもよい。
【００１８】
詳細は図示しないが、本実施の形態では、積層容器１は、容器外側から内側に向けて、ポリプロピレン樹脂層／接着層／ＥＶＯＨ樹脂層／接着層／遮光層／接着層／ポリエステル系樹脂層の順で積層された層構成ないし積層構造を有している。
【００１９】
上記の接着層としては、例えば「アドマー（登録商標）」などの接着性を有する変性ポリオレフィンを用いることができる。
【００２０】
ＥＶＯＨ樹脂層（エチレン−ビニルアルコール共重合体樹脂層）は、バリア層として設けられたものであり、積層容器１の酸素透過性を低減させて積層容器１に収容した内容物の酸化による劣化ないし変質等を抑制することができる。ＥＶＯＨ樹脂層を構成するＥＶＯＨ樹脂の共重合成分であるエチレン含有量は、要望されるバリア性に合わせ種々変更することができる。バリア層は、酸素バリア性に優れるＭＸナイロン樹脂層でもよい。
【００２１】
遮光層としては、例えば、黒色に着色したポリプロピレン樹脂層を用いることができるが、遮光可能なものであれば他の材質の層を用いることもできる。遮光層を設けることで、積層容器１の内部への光の透過を抑制することができるので、積層容器１に収容した内容物の光による劣化ないし変質等を抑制することができる。
【００２２】
ポリエステル系樹脂層としては、ポリエチレンテレフタレート樹脂、ＰＥＴ−Ｇ樹脂、ＰＣＴＧ樹脂、ＰＣＴＡ樹脂等を使用することができ、共重合ポリエステル系樹脂層を用いることがより好ましい。
【００２３】
図１に示すように、積層容器１は、上記した押出ブロー成形により、口部２、胴部３及び底部４を備えたボトル形状に形成されている。
【００２４】
口部２は略円筒状となっており、その外周面にはキャップ（不図示）をねじ結合によって装着するための雄ねじ２ａが一体に設けられている。また、口部２の下端にはネックリング２ｂが一体に設けられている。
【００２５】
なお、口部２は、キャップをねじ結合に替えて打栓により装着するための環状凸部を設けた構成とすることもできる。
【００２６】
胴部３は、口部２の下端に一体に連ねて設けられている。胴部３の内部は、例えば清酒等のアルコール飲料を内容物として収容可能な収容空間となっている。
【００２７】
図示する場合では、胴部３は、口部２と同等の外径の円筒状に形成されて口部２の下端に一体に連なる首状部分３ａと、首状部分３ａの下端に一体に連なるとともに外径が徐々に拡大する肩状部分３ｂと、口部２よりも大径の円筒状に形成されて肩状部分３ｂの下端に一体に連なる本体部分３ｃとを有する形状に形成されている。
【００２８】
なお、胴部３の形状は、例えば首状部分３ａを備えない形状とするなど、種々変更可能である。
【００２９】
底部４は、胴部３の下端に一体に連ねて設けられ、胴部３の下端を閉塞している。底部４は、接地部４ａ、底壁部４ｂ及びピンチオフ部４ｃを有している。詳細は図示しないが、底部４も上記した複数の層を有する積層構造に構成されている。
【００３０】
図２、図３に示すように、接地部４ａは、胴部３の本体部分３ｃの下端に一体に連なる円環状に形成されている。また、接地部４ａは、胴部３の本体部分３ｃとの連接部分から下方に向けて徐々に湾曲状に縮径した形状を有し、その下端部分は接地面４ａ１となっている。接地面４ａ１は、積層容器１を正立姿勢でテーブル等の支持体に置く際に当該支持体に接地する部分である。
【００３１】
底壁部４ｂは接地部４ａの内側に設けられている。図示する場合では、底壁部４ｂは円形となっており、その外周縁において接地部４ａの内周縁に一体に連なっている。底壁部４ｂは、その厚みが略一定となっており、その下側を向く底面４ｂ１は積層容器１の軸心方向（上下方向）に垂直な平坦面となっている。また、底壁部４ｂは、底面４ｂ１が接地面４ａ１に対して口部２の側（上方側）にずれるように、接地部４ａに対して容器内側に向けて凹んでいる。
【００３２】
ピンチオフ部４ｃは、押出ブロー成形の際に、円筒状の積層パリソンが割り金型によって食い切られることで、底壁部４ｂの底面４ｂ１から下方に向けて突出する突条形状に形成されたものである。図２に示すように、ピンチオフ部４ｃは底部４の軸心を通るように底面４ｂ１上で直線状に延び、その長手方向両端はそれぞれ接地部４ａに一体に連なっている。ピンチオフ部４ｃの底面４ｂ１からの突出高さは、接地面４ａ１に対する底面４ｂ１の深さの範囲内（接地面４ａ１よりも下方に突出しない）となっており、積層容器１を正立姿勢で支持台に置いたときにピンチオフ部４ｃが支持台に当接しないようになっている。
【００３３】
接地部４ａのピンチオフ部４ｃの延長上には、それぞれ接地面４ａ１に対して凹む凹部４ａ２が設けられている。
【００３４】
本実施の形態に係る積層容器１では、ピンチオフ部４ｃが形成される底壁部４ｂの底面４ｂ１を平坦面とするとともに、ピンチオフ部４ｃの長手方向両端部をそれぞれ接地部４ａに連なる構成としたので、押出ブロー成形により底部４を形成する際に、接地部４ａのピンチオフ部４ｃの延長線上の周辺の領域（図２において符号１０で示す領域）に他の部分よりも肉厚が厚い肉溜まり部分を生じさせることができる。これにより、ピンチオフ部４ｃの延長線上の周辺の領域１０における接地部４ａの強度を高めて、落下等による衝撃が積層容器１に加えられたときに当該衝撃が接地部４ａを介してピンチオフ部４ｃに伝達され難くすることができるので、最も内側の層をポリエステル系樹脂層としても、落下等の衝撃によりピンチオフ部４ｃの融着部分に割れが生じることを抑制することができる。
【００３５】
本実施の形態に係る積層容器１について、気温５℃の雰囲気において１ｍの高さから縦向きで落下させる落下試験と横向きで落下させる落下試験とを、それぞれＮ数を５として行ったが、何れの試験においても積層容器１のピンチオフ部４ｃの融着部分に割れは生じなかった。
【００３６】
これに対し、詳細は図示しないが、ピンチオフ部が形成される底壁部の底面を上方に向けて凹むドーム型とした比較例の積層容器では、ピンチオフ部の長手方向両端部はそれぞれ接地部から離れた状態となり、接地部とピンチオフ部の長手方向端部との間に肉溜まり部分が生じることになるので、接地部の強度を高めることができず、落下等の衝撃によりピンチオフ部の融着部分に割れが生じることを抑制することができない。当該比較例に係る積層容器について、気温５℃の雰囲気において１ｍの高さから縦向きで落下させる落下試験と横向きで落下させる落下試験とを、それぞれＮ数を５として行ったところ、１回目の縦向きの落下試験において積層容器のピンチオフ部の融着部分に割れが生じた。底面がドーム型となっているものに比べ、本発明のフラットなピンチオフ形状は金型から離型する際のピンチオフ部への衝撃を小さくできるため、融着し難い最内層にポリエステル系樹脂を配置する構成において特に有効である。
【００３７】
図４に示すように、本実施の形態の積層容器１においては、ピンチオフ部４ｃを、底面４ｂ１に連なる連接部分４ｃ１と、連接部分４ｃ１よりも幅広に形成されて連接部分４ｃ１の下端に一体に連なる幅広部４ｃ２とを有する構成としている。すなわち、ピンチオフ部４ｃの下端側部分により肉付きの多い部分を設けた構成としている。
【００３８】
上記のように、ピンチオフ部４ｃを連接部分４ｃ１と幅広部４ｃ２とを有する構成としたことにより、ピンチオフ部４ｃそれ自体の融着強度を高めることができる。したがって、最も内側の層をポリエステル系樹脂層とした構成において、落下等の衝撃によるピンチオフ部４ｃの融着部分の割れをさらに確実に抑制することができる。
【００３９】
本実施の形態に係る積層容器１では、底面４ｂ１を平坦面としたことにより底壁部４ｂの厚みを均一にすることができるので、複数の層が遮光層を含む構成とした場合に、底部４において遮光層の厚みが部分的に薄くなり過ぎることを防止して、底部４における遮光効果を確保することができる。
【００４０】
これに対し、ピンチオフ部が形成される底壁部の底面を上方に向けて凹むドーム型とした比較例の積層容器では、底壁部の肉厚が均一にならず、ピンチオフ部の周辺部分において底壁部の厚みが薄くなるので、複数の層が遮光層を含む構成とした場合に、ピンチオフ部の周辺部分における遮光層の厚みが薄くなり過ぎて、当該部分における遮光性を確保することができなくなる。
【００４１】
本発明は上記の実施形態に限定されるものではなく、その要旨を逸脱しない範囲で種々変更可能であることはいうまでもない。
【００４２】
例えば、前記実施の形態においては、積層容器１を、容器外側から内側に向けて、ポリプロピレン樹脂層／接着層／ＥＶＯＨ樹脂層／接着層／遮光層／接着層／ＰＥＴ−Ｇ樹脂層の順で積層された層構成ないし積層構造を有するものとしたが、これに限らず、複数の層を有するとともにこれらの層のうち最も内側の層がポリエステル系樹脂層であれば、層構成は種々変更可能である。
【００４３】
また、前記実施の形態においては、積層容器１は遮光層を含む層構成とされているが、遮光層を含まない構成とすることもできる。
【００４４】
さらに、前記実施の形態においては、ピンチオフ部４ｃを、底面４ｂ１に連なる連接部分４ｃ１と、連接部分４ｃ１よりも幅広に形成されて連接部分４ｃ１の下端に一体に連なる幅広部４ｃ２とを有する構成としているが、これに限らず、底面４ｂ１から突出する突条形状であって長手方向両端部が接地部４ａに連なるものであれば、ピンチオフ部４ｃの形状は種々変更可能である。
【符号の説明】
【００４５】
１      積層容器
２      口部
２ａ    雄ねじ
２ｂ    ネックリング
３      胴部
３ａ    首状部分
３ｂ    肩状部分
３ｃ    本体部分
４      底部
４ａ    接地部
４ａ１  接地面
４ａ２  凹部
４ｂ    底壁部
４ｂ１  底面
４ｃ    ピンチオフ部
４ｃ１  連接部分
４ｃ２  幅広部
１０      領域
【図１】
2019081549.tif 000003
【図２】
2019081549.tif 000004
【図３】
2019081549.tif 000005
【図４】
2019081549.tif 000006